(57)【要約】 【課題】複数種類のデータ形式の医療データを情報劣化させることなく統合管理するサーバを提供する。【解決手段】統合管理サーバ３０は、画像管理サーバ５０からＤＩＣＯＭ準拠画像データを、検査管理サーバ７０からＨＬ７準拠検査データを、病理部門情報管理装置９０からＨＬ７準拠病理診断データを受信する。統合管理サーバ３０は、受信したこれらの医療データを解析して、これらの各データ形式に共通のキー情報を生成する。統合管理サーバ３０は、このキー情報を医療データに付与する。統合管理サーバ３０は、これらの医療データを記憶し、付与したキー情報に基づいてこれらの医療データを、統合管理対象医療データとして一元管理する。【選択図】図１
2010128782.tif 000002
【特許請求の範囲】
【請求項１】
統合管理サーバと複数の情報処理装置とがデータ通信可能に接続された医療システムであって、
前記複数の情報処理装置のぞれぞれは、
前記統合管理サーバにより解析可能なデータ形式の医療データを当該統合管理サーバに送信する送信制御手段、
を備え、
前記統合管理サーバは、
前記各送信制御手段により送信された複数種類のデータ形式の医療データを取得する取得手段と、
前記医療データを解析して前記各データ形式に共通のキー情報を生成し、当該キー情報を前記医療データに付与し、当該キー情報に基づいて前記医療データを管理する制御手段と、
を備える医療システム。
【請求項２】
前記制御手段は、前記医療データから属性情報を抽出し、当該属性情報に基づいてキー情報を生成する、
請求項１に記載の医療システム。
【請求項３】
前記キー情報は、患者ＩＤ、患者名、受信日時又はデータ種別の各項目のうち、少なくとも一つの項目を含む、
請求項１又は２に記載の医療システム。
【請求項４】
前記医療データの一つは、医用画像を含むデータであり、
前記情報処理装置の一つは、前記医用画像を含むデータを記憶管理する画像管理サーバである、
請求項１〜３の何れか一項に記載の医療システム。
【請求項５】
前記医療データの一つは、検査データを含むデータであり、
前記情報処理装置の一つは、前記検査データを含むデータを記憶管理する検査管理サーバである、
請求項１〜４の何れか一項に記載の医療システム。
【請求項６】
前記医療データの一つは、病理診断レポートを含むデータであり、
前記情報処理装置の一つは、前記病理診断レポートを含むデータを記憶管理する病理部門情報管理装置である、
請求項１〜５の何れか一項に記載の医療システム。
【請求項７】
前記情報処理装置は、前記統合管理サーバの一部である、
請求項４〜６の何れか一項に記載の医療システム。
【請求項８】
複数種類のデータ形式の医療データを取得する取得手段と、
前記医療データを解析して前記各データ形式に共通のキー情報を生成し、当該キー情報を前記医療データに付与し、当該キー情報に基づいて前記医療データを管理する制御手段と、
を備える統合管理サーバ。
【請求項９】
前記制御手段は、前記医療データから属性情報を抽出し、当該属性情報に基づいてキー情報を生成する、
請求項８に記載の統合管理サーバ。
【請求項１０】
前記キー情報は、患者ＩＤ、患者名、受信日時又はデータ種別の各項目のうち、少なくとも一つの項目を含む、
請求項８又は９に記載の統合管理サーバ。
【請求項１１】
コンピュータを、
複数種類のデータ形式の医療データを取得する取得手段、
前記医療データを解析して前記各データ形式に共通のキー情報を生成し、当該キー情報を前記医療データに付与し、当該キー情報に基づいて前記医療データを管理する制御手段、
として機能させるためのプログラム。
【請求項１２】
前記制御手段は、前記医療データから属性情報を抽出し、当該属性情報に基づいてキー情報を生成する、
請求項１１に記載のプログラム。
【請求項１３】
前記キー情報は、患者ＩＤ、患者名、受信日時又はデータ種別の各項目のうち、少なくとも一つの項目を含む、
請求項１１又は１２に記載のプログラム。
【発明の詳細な説明】
【技術分野】
【０００１】
本発明は、医療システム、統合管理サーバ及びプログラムに関する。
【背景技術】
【０００２】
画像検査、検体検査、病理診断等の各検査は、病院内や病院外の各部門の検査システム（部門システム）によって実施されている。各部門システムは、その部門システム独自のデータ形式（プロトコル（規格）やデータセット）によって情報管理を行っている。
【０００３】
電子カルテシステムでは、各部門システムに検査を依頼し、各部門システムにおける検査結果のデータ（医療データ）を参照する。このとき、電子カルテシステムでは、各部門システムにおいて独自に採用されているデータ形式を用いて、各部門で管理されている医療データを参照していた。
【０００４】
または、電子カルテシステムでは、各部門システムにおいて、医療データをＪＰＥＧ形式やＰＤＦ形式のような汎用データ形式のファイルに変換してもらい、この汎用データ形式のファイルを取得し、医療データを参照していた。
【０００５】
最近では、各部門システムと、ＨＩＳ（Hospital Information System）に設けられた電子カルテシステムとが医療検査情報統合システムを介して通信する技術が開示されている（特許文献１参照）。具体的に、この医療検査情報統合システムは、電子カルテシステムからの検査オーダ情報を各部門システムに対応したフォーマットに変換し、各部門システムに送信する。また、この医療検査情報統合システムは、各部門システムからの医療データを電子カルテシステムに対応したフォーマットに変換し、電子カルテシステムに送信する。
【特許文献１】特開２００８−６５６８８号公報
【発明の開示】
【発明が解決しようとする課題】
【０００６】
しかし、特許文献１の技術では、医療データのフォーマット（データ形式）を変換することにより、この医療データが劣化するという問題があった。そのため、電子カルテシステムにおいて、医師は、各検査部門でのオリジナルの医療データを参照することができなかった。
【０００７】
本発明は、上述したような課題に鑑みて為されたものであり、複数種類のデータ形式の医療データを情報劣化させることなく統合管理するサーバを提供することである。
【課題を解決するための手段】
【０００８】
上記の課題を解決するために、請求項１に記載の発明は、
統合管理サーバと複数の情報処理装置とがデータ通信可能に接続された医療システムであって、
前記複数の情報処理装置のぞれぞれは、
前記統合管理サーバにより解析可能なデータ形式の医療データを当該統合管理サーバに送信する送信制御手段、
を備え、
前記統合管理サーバは、
前記各送信制御手段により送信された複数種類のデータ形式の医療データを取得する取得手段と、
前記医療データを解析して前記各データ形式に共通のキー情報を生成し、当該キー情報を前記医療データに付与し、当該キー情報に基づいて前記医療データを管理する制御手段と、
を備える。
【０００９】
請求項２に記載の発明は、請求項１に記載の発明において、
前記制御手段は、前記医療データから属性情報を抽出し、当該属性情報に基づいてキー情報を生成する。
【００１０】
請求項３に記載の発明は、請求項１又は２に記載の発明において、
前記キー情報は、患者ＩＤ、患者名、受信日時又はデータ種別の各項目のうち、少なくとも一つの項目を含む。
【００１１】
請求項４に記載の発明は、請求項１〜３の何れか一項に記載の発明において、
前記医療データの一つは、医用画像を含むデータであり、
前記情報処理装置の一つは、前記医用画像を含むデータを記憶管理する画像管理サーバである。
【００１２】
請求項５に記載の発明は、請求項１〜４の何れか一項に記載の発明において、
前記医療データの一つは、検査データを含むデータであり、
前記情報処理装置の一つは、前記検査データを含むデータを記憶管理する検査管理サーバである。
【００１３】
請求項６に記載の発明は、請求項１〜５の何れか一項に記載の発明において、
前記医療データの一つは、病理診断レポートを含むデータであり、
前記情報処理装置の一つは、前記病理診断レポートを含むデータを記憶管理する病理部門情報管理装置である。
【００１４】
請求項７に記載の発明は、請求項４〜６の何れか一項に記載の発明において、
前記情報処理装置は、前記統合管理サーバの一部である。
【００１５】
請求項８に記載の統合管理サーバは、
複数種類のデータ形式の医療データを取得する取得手段と、
前記医療データを解析して前記各データ形式に共通のキー情報を生成し、当該キー情報を前記医療データに付与し、当該キー情報に基づいて前記医療データを管理する制御手段と、
を備える。
【００１６】
請求項９に記載の発明は、請求項８に記載の発明において、
前記制御手段は、前記医療データから属性情報を抽出し、当該属性情報に基づいてキー情報を生成する。
【００１７】
請求項１０に記載の発明は、請求項８又は９に記載の発明において、
前記キー情報は、患者ＩＤ、患者名、受信日時又はデータ種別の各項目のうち、少なくとも一つの項目を含む。
【００１８】
請求項１１に記載のプログラムは、
コンピュータを、
複数種類のデータ形式の医療データを取得する取得手段、
前記医療データを解析して前記各データ形式に共通のキー情報を生成し、当該キー情報を前記医療データに付与し、当該キー情報に基づいて前記医療データを管理する制御手段、
として機能させる。
【００１９】
請求項１２に記載の発明は、請求項１１に記載の発明において、
前記制御手段は、前記医療データから属性情報を抽出し、当該属性情報に基づいてキー情報を生成する。
【００２０】
請求項１３に記載の発明は、請求項１１又は１２に記載の発明において、
前記キー情報は、患者ＩＤ、患者名、受信日時又はデータ種別の各項目のうち、少なくとも一つの項目を含む。
【発明の効果】
【００２１】
請求項１、８、１１に記載の発明によれば、統合管理サーバは、複数種類のデータ形式の医療データを取得する。統合管理サーバは、この医療データを解析して前記各データ形式に共通のキー情報を生成する。統合管理サーバは、このキー情報を医療データに付与する。統合管理サーバは、このキー情報に基づいて医療データを管理する。そのため、複数種類のデータ形式の医療データを情報劣化させることなく統合管理することができる。
【００２２】
請求項２、９、１２に記載の発明によれば、統合管理サーバは、効率的に医療データを統合管理することができる。
【００２３】
請求項３、１０、１３に記載の発明によれば、統合管理サーバは、効率的に医療データを統合管理することができる。
【００２４】
請求項４に記載の発明によれば、統合管理サーバは、医用画像を医療データの一つとして統合管理することができる。
【００２５】
請求項５に記載の発明によれば、統合管理サーバは、検査データを医療データの一つとして統合管理することができる。
【００２６】
請求項６に記載の発明によれば、統合管理サーバは、病理診断レポートを医療データの一つとして統合管理することができる。
【００２７】
請求項７に記載の発明によれば、統合管理サーバは、画像管理サーバ、検査管理サーバ、病理部門情報管理装置又はこれらの組み合わせを含む。
【発明を実施するための最良の形態】
【００２８】
[第１の実施の形態]
以下、本発明の第１の実施の形態について説明する。
【００２９】
[医療システムのシステム構成]
図１に、医療システム１００のシステム構成を示す。
【００３０】
医療システム１００は、電子カルテサーバ１０と、クライアント端末２０と、統合管理サーバ３０と、放射線部門システム２００と、検査部門システム３００と、病理部門システム４００と、から構成されている。上記の各装置及びシステムは、ＬＡＮ（Local Area Network）等の通信ネットワークＮを介してデータ通信可能に接続されている。
【００３１】
放射線部門システム２００は、ＤＩＣＯＭ準拠撮影装置４０と、画像管理サーバ５０と、図示しないその他の装置と、から構成されており、各装置は通信ネットワークＮを介してデータ通信可能に接続されている。
【００３２】
ＤＩＣＯＭ準拠撮影装置４０は、患者の診断対象部位を被写体として撮影を行い、ＤＩＣＯＭ準拠画像データを生成する。具体的に、ＤＩＣＯＭ準拠撮影装置４０は、患者の診断対象部位を被写体として撮影を行い、撮影した画像をデジタル変換して画像実データ（医用画像）を生成する。ＤＩＣＯＭ準拠撮影装置４０は、操作部からの入力等に基づいて患者情報や検査情報を含むＤＩＣＯＭ付帯情報を生成する。ＤＩＣＯＭ準拠撮影装置４０は、生成した画像実データにこのＤＩＣＯＭ付帯情報を付帯させ、ＤＩＣＯＭ規格に則ったＤＩＣＯＭ準拠画像データを生成する。ＤＩＣＯＭ準拠撮影装置４０は、生成したＤＩＣＯＭ準拠画像データを画像管理サーバ５０に送信する。ＤＩＣＯＭ準拠撮影装置４０としては、ＣＲ装置、ＣＴ装置、ＭＲＩ装置等、様々な種類の医用画像を撮影する撮影装置が適用可能である。
【００３３】
画像管理サーバ５０は、ＤＩＣＯＭ準拠撮影装置４０において生成されたＤＩＣＯＭ準拠画像データを記憶し、管理する（記憶管理する）。画像管理サーバ５０としてＰＡＣＳ（Picture Archiving and Communication System）等が適用可能である。
【００３４】
画像管理サーバ５０は、外部機器からＤＩＣＯＭ規格に則った医用画像取得要求を受信した場合、この取得要求に応じたＤＩＣＯＭ準拠画像データをこの外部機器に送信（提供）する。
【００３５】
検査部門システム３００は、検査装置６０と、検査管理サーバ７０と、図示しないその他の装置と、から構成されており、各装置は通信ネットワークＮを介してデータ通信可能に接続されている。
【００３６】
検査装置６０は、患者から採取した血液や尿等の検体を分析（検査）し、分析結果としての検査実データ（検査データ）を生成する。検査実データには、一又は複数の検査項目が含まれる。例えば、検体が血液である場合、検査実データには、「総蛋白」「ＧＯＴ」「ＧＰＴ」「ＬＤＨ」等の項目が含まれる。検査装置６０は、生成した検査実データを検査管理サーバ７０に送信する。
【００３７】
検査管理サーバ７０は、検査装置６０から送信された検査実データに基づいてＨＬ７準拠検査データを生成し、このＨＬ７準拠検査データを記憶管理する。具体的に、検査管理サーバ７０は、医師等のユーザによる操作部からの患者属性情報の入力等に基づいて、この患者属性情報を含むＨＬ７付帯情報を生成する。検査管理サーバ７０は、検査装置６０から送信された検査実データにこのＨＬ７付帯情報を付帯させ、ＨＬ７規格に則ったＨＬ７準拠検査データを生成する。
【００３８】
検査管理サーバ７０は、外部機器からＨＬ７規格に則った検査データ取得要求を受信した場合、この取得要求に応じたＨＬ７準拠検査データをこの外部機器に送信（提供）する。
【００３９】
病理部門システム４００は、顕微鏡８０と、病理部門情報管理装置９０と、図示しないその他の装置と、から構成されており、各装置は通信ネットワークＮを介してデータ通信可能に接続されている。
【００４０】
顕微鏡８０は、患者から採取された組織や細胞等を被写体として撮影を行い、撮影した画像をデジタル変換して画像実データ（医用画像）を生成する。顕微鏡８０は、生成した画像実データを病理部門情報管理装置９０に送信する。
【００４１】
病理部門情報管理装置９０は、病理部門内における診療予約、実績管理、在庫管理等の情報管理を行う。病理部門情報管理装置９０は、顕微鏡８０から受信した画像実データに基づいて、組織や細胞等の医用画像をモニタに表示する。病理部門情報管理装置９０は、医師等のユーザによる操作部からの入力や画像実データ等に基づいて、組織や細胞等の医用画像に対する病理診断レポート実データ（病理診断レポート）を生成する。この病理診断レポートには、組織や細胞等の医用画像が含まれる。病理部門情報管理装置９０は、操作部からの入力等に基づいて、ＨＬ７付帯情報を生成する。病理部門情報管理装置９０は、病理診断レポート実データにＨＬ７付帯情報を付帯させ、ＨＬ７規格に則ったＨＬ７準拠病理診断データを生成する。
【００４２】
病理部門情報管理装置９０は、外部機器からＨＬ７規格に則った病理診断データ取得要求を受信した場合、この取得要求に応じたＨＬ７準拠病理診断データをこの外部機器に送信（提供）する。
【００４３】
統合管理サーバ３０は、放射線部門システム２００、検査部門システム３００、病理部門システム４００等の各部門から送信される様々なデータ形式（ＤＩＣＯＭ規格、ＨＬ７規格等）の医療データを記憶し、一元管理する装置である。ここで、医療データとは、医用画像（ＤＩＣＯＭ準拠画像データ）、検査データ（ＨＬ７準拠検査データ）、病理診断レポート（ＨＬ７準拠病理診断データ）等を指す。
【００４４】
統合管理サーバ３０は、放射線部門システム２００の画像管理サーバ５０にＤＩＣＯＭ規格に則った医用画像取得要求を送信し、取得要求に応じたＤＩＣＯＭ準拠画像データを受信する。統合管理サーバ３０は、検査部門システム３００の検査管理サーバ７０にＨＬ７規格に則った検査データ取得要求を送信し、取得要求に応じたＨＬ７準拠検査データを受信する。統合管理サーバ３０は、病理部門システム４００の病理部門情報管理装置９０にＨＬ７規格に則った病理診断データ取得要求を送信し、取得要求に応じたＨＬ７準拠病理診断データを受信する。
【００４５】
統合管理サーバ３０は、所定の時間毎（例えば１時間毎）に、医用画像取得要求、検査データ取得要求、病理診断データ取得要求を各サーバ（画像管理サーバ５０、検査管理サーバ７０、病理部門情報管理装置９０）に送信し、各サーバにおいて新たに追加された医療データを受信（取得）する。
【００４６】
統合管理サーバ３０は、各部門から取得した医療データ（ＤＩＣＯＭ準拠画像データ、ＨＬ７準拠検査データ、ＨＬ７準拠病理診断データ）を解析してキー情報を生成する。統合管理サーバ３０は、このキー情報を医療データに付与する。統合管理サーバ３０は、この医療データを記憶し、付与したキー情報に基づいてこの医療データを、統合管理対象医療データとして一元管理する。
【００４７】
統合管理サーバ３０は、クライアント端末２０から医療データ取得要求を受信した場合、この取得要求に応じた統合管理対象医療データをクライアント端末２０に送信（提供）する。医療データ取得要求には、キー情報が含まれる。
【００４８】
クライアント端末２０は、統合管理サーバ３０のクライアント（専用ビューワ）である。クライアント端末２０は、統合管理サーバ３０に医療データ取得要求を送信する。クライアント端末２０は、取得要求に応じた統合管理対象医療データを統合管理サーバ３０から受信（取得）する。
【００４９】
クライアント端末２０は、統合管理対象医療データに基づいて、医用画像、検査データ、病理診断レポート等をモニタに表示する。
【００５０】
また、クライアント端末２０は、電子カルテサーバ１０のクライアントでもある。クライアント端末２０は診療録データ作成機能を有する。クライアント端末２０はユーザの操作による操作信号等に基づき、診療録データを生成する。クライアント端末２０は、生成した診療録データ（患者の病状や診断結果等の情報）を電子カルテサーバ１０に送信する。
【００５１】
電子カルテサーバ１０は、クライアント端末２０において生成された診療録データを記憶し、管理する（記憶管理する）。
【００５２】
図２に、医療データ（ＤＩＣＯＭ準拠画像データ、ＨＬ７準拠検査データ、ＨＬ７準拠病理診断データ等）のデータフローを示す。検査装置６０において生成された検査実データは、検査管理サーバ７０に送信される。そして、この検査実データは、ＨＬ７準拠検査データとして統合管理サーバ３０に送信される。また、ＤＩＣＯＭ準拠撮影装置４０において生成されたＤＩＣＯＭ準拠画像データは、画像管理サーバ５０を介して統合管理サーバ３０に送信される。また、顕微鏡８０において生成された画像実データは、病理部門情報管理装置９０に送信される。病理部門情報管理装置９０において、この画像実データに対する病理診断レポート実データが生成され、ＨＬ７準拠病理診断データとして統合管理サーバ３０に送信される。
【００５３】
統合管理サーバ３０において、ＤＩＣＯＭ準拠画像データ、ＨＬ７準拠検査データ、ＨＬ７準拠病理診断データは、統合管理対象医療データとして記憶管理される。この統合管理対象医療データは、クライアント端末２０の取得要求に応じて、統合管理サーバ３０からクライアント端末２０に送信される。
【００５４】
[統合管理サーバの機能的構成]
図３に、統合管理サーバ３０の機能的構成を示す。
【００５５】
図３に示すように、統合管理サーバ３０は、制御部３１、操作部３２、表示部３３、通信部３４、記憶部３５を備えて構成され、各部はバス３６により接続されている。
【００５６】
制御部３１は、ＣＰＵ（Central Processing Unit）、ＲＡＭ（Random Access Memory）等から構成され、統合管理サーバ３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００５７】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００５８】
表示部３３は、ＬＣＤ（Liquid Crystal Display）により構成され、制御部３１から入力される表示データに基づいて各種画面を表示する。
【００５９】
通信部３４は、ＬＡＮ（Local Area Network）アダプタ、ルータ、ＴＡ（Terminal Adapter）等を備え、通信ネットワークＮを介して接続されたクライアント端末２０、画像管理サーバ５０、検査管理サーバ７０、病理部門情報管理装置９０等の外部機器との間でデータの送受信を行う。
【００６０】
記憶部３５は、ハードディスク等から構成され、制御プログラム、当該プログラムの実行に必要なパラメータやファイル等を記憶している。記憶部３５は、統合管理プログラム３５１を記憶する。記憶部３５は、共通キー情報ＤＢ３５２を記憶する。また、記憶部３５は、一又は複数のＤＩＣＯＭ準拠画像データを記憶する。記憶部３５は、一又は複数のＨＬ７準拠検査データを記憶する。記憶部３５は、一又は複数のＨＬ７準拠病理診断データを記憶する。
【００６１】
制御部３１は、記憶部３５に記憶されている統合管理プログラム３５１と協働して、次のように機能する。即ち、制御部３１は、通信部３４を介して外部機器から医療データ（ＤＩＣＯＭ準拠画像データ、ＨＬ７準拠検査データ、ＨＬ７準拠診断データ等）を取得すると、この医療データを解析してキー情報を生成する。制御部３１は、このキー情報を医療データと関連付けて、記憶部３５に記憶させる。制御部３１は、キー情報に基づいて医療データを統合管理対象医療データとして管理する。制御部３１によって生成されたキー情報は、共通キー情報ＤＢ３５２のレコードとして記憶部３５に記憶される。
【００６２】
図４に、共通キー情報ＤＢ３５２のデータ構成を示す。共通キー情報ＤＢ３５２は、キー情報に対応する一又は複数のレコードから成る。レコード、即ちキー情報は、項目「データ種別」「受信日時」「患者ＩＤ」「患者名」「格納アドレス」等から構成される。
【００６３】
項目「データ種別」は、医療データの種類を示すものである。医療データの種類とは、規格（ＤＩＣＯＭ規格、ＨＬ７規格等）、結果種類（画像、レポート等）、モダリティ種別（ＣＴ、ＭＲ、ＣＲ等）等の組み合わせである。項目「受信日時」は、統合管理サーバ３０が医療データを受信した日時を示すものである。つまり、項目「受信日時」は、制御部３１が医療データを取得した日時を示すものである。項目「格納アドレス」は、医療データが格納されている記憶部３５内のアドレスを示すものである。
【００６４】
図５に、記憶部３５に記憶されている医療データの記憶イメージを示す。制御部３１は、通信部３４を介してＤＩＣＯＭ準拠画像データを受信すると、この受信日時をキー情報の「受信日時」とする。制御部３１は、受信したＤＩＣＯＭ準拠画像データを解析する。制御部３１は、解析の結果、データ種別を判別し、キー情報の「データ種別」とする。また、制御部３１は、ＤＩＣＯＭ準拠画像データに含まれるＤＩＣＯＭ付帯情報から「患者ＩＤ」「患者名」を抽出し、キー情報の「患者ＩＤ」「患者名」とする。制御部３１は、ＤＩＣＯＭ準拠画像データを記憶部３５に記憶させ、記憶させたアドレスをキー情報の「格納アドレス」とする。このように、制御部３１は、記憶させたアドレスをキー情報の「格納アドレス」とすることで、キー情報と医療データとを関連付ける。制御部３１は、このキー情報を共通キー情報ＤＢ３５２に登録する。制御部３１は、キー情報に基づいて、ＤＩＣＯＭ準拠画像データを統合管理対象医療データとして管理する。
【００６５】
また、制御部３１は、通信部３４を介してＨＬ７準拠検査データを受信すると、この受信日時をキー情報の「受信日時」とする。制御部３１は、受信したＨＬ７準拠検査データを解析する。制御部３１は、解析の結果、データ種別を判別し、キー情報の「データ種別」とする。また、制御部３１は、ＨＬ７準拠検査データに含まれるＨＬ７付帯情報から「患者ＩＤ」「患者名」を抽出し、キー情報の「患者ＩＤ」「患者名」とする。制御部３１は、ＨＬ７準拠検査データを記憶部３５に記憶させ、記憶させたアドレスをキー情報の「格納アドレス」とする。制御部３１は、このキー情報を共通キー情報ＤＢ３５２に登録する。制御部３１は、キー情報に基づいて、ＨＬ７準拠検査データを統合管理対象医療データとして管理する。
【００６６】
また、制御部３１は、通信部３４を介してＨＬ７準拠病理診断データを受信すると、この受信日時をキー情報の「受信日時」とする。制御部３１は、受信したＨＬ７準拠病理診断データを解析する。制御部３１は、解析の結果、データ種別を判別し、キー情報の「データ種別」とする。また、制御部３１は、ＨＬ７準拠病理診断データに含まれるＨＬ７付帯情報から「患者ＩＤ」「患者名」を抽出し、キー情報の「患者ＩＤ」「患者名」とする。制御部３１は、ＨＬ７準拠病理診断データを記憶部３５に記憶させ、記憶させたアドレスをキー情報の「格納アドレス」とする。制御部３１は、このキー情報を共通キー情報ＤＢ３５２に登録する。制御部３１は、キー情報に基づいて、ＨＬ７準拠病理診断データを統合管理対象医療データとして管理する。
【００６７】
図３に戻り、制御部３１は、統合管理プログラム３５１と協働して、通信部３４を介して、クライアント端末２０から医療データ取得要求を受信すると、医療データ取得要求に含まれるキー情報に関連付けられた医療データ（統合管理対象医療データ）を記憶部３５から読み出す。制御部３１は、読み出した医療データをクライアント端末２０に通信部３４を介して送信する。
【００６８】
具体的に、制御部３１は、患者ＩＤが「４００」、受信日時が「２００８／１１／１５」であるキー情報を含んだ医療データ取得要求を受信したとする。この場合、制御部３１は、共通キー情報ＤＢ３５２を参照して、患者ＩＤが「４００」、受信日時が「２００８／１１／１５」であるキー情報に関連付けられた医療データを記憶部３５から読み出す。そして、制御部３１は、読み出した医療データをクライアント端末２０に通信部３４を介して送信する。
【００６９】
[医療システムにおける各装置の具体的な動作]
次に、医療システム１００において実行される各装置の具体的な動作について、図６〜図８を用いて説明する。図６は、統合管理サーバ３０がＤＩＣＯＭ準拠画像データを受信する場合のラダーチャートである。図７は、統合管理サーバ３０がＨＬ７準拠検査データを受信する場合のラダーチャートである。図８は、統合管理サーバ３０がＨＬ７準拠病理診断データを受信する場合のラダーチャートである。
【００７０】
まず、統合管理サーバ３０がＤＩＣＯＭ準拠画像データを受信する場合の、医療システム１００における各装置の具体的な動作について、図６を用いて説明する。
【００７１】
図６に示すように、ＤＩＣＯＭ準拠撮影装置４０は、患者を撮影し、画像実データ（医用画像）を生成する（ステップＳ１）。そして、ＤＩＣＯＭ準拠撮影装置４０は、画像実データにＤＩＣＯＭ付帯情報を付帯させ、ＤＩＣＯＭ準拠画像データを生成する（ステップＳ２）。そして、ＤＩＣＯＭ準拠撮影装置４０は、生成したＤＩＣＯＭ準拠画像データを画像管理サーバ５０に送信する（ステップＳ３）。
【００７２】
画像管理サーバ５０は、ＤＩＣＯＭ準拠撮影装置４０からＤＩＣＯＭ準拠画像データを受信すると、このＤＩＣＯＭ準拠画像データをデータベースに登録し、記憶管理する（ステップＳ４）。
【００７３】
統合管理サーバ３０の制御部３１は、通信部３４を介して、画像管理サーバ５０にＤＩＣＯＭ規格に則った医用画像取得要求を送信する。画像管理サーバ５０は、この医用画像取得要求を受信すると、取得要求に応じたＤＩＣＯＭ準拠画像データを統合管理サーバ３０に送信する。そして、統合管理サーバ３０の制御部３１は、通信部３４を介して、このＤＩＣＯＭ準拠画像データを受信（取得）する（ステップＳ５、Ｓ６）。
【００７４】
制御部３１は、取得したＤＩＣＯＭ準拠画像データを解析する（ステップＳ７）。具体的に、制御部３１は、取得開始時に、通信部３４におけるデータの受信ポートに基づいて、医療データの規格を判別する。または、制御部３１は、医療データの送信元の端末（送信元アプリケーション）に基づいて、医療データの規格を判定する。制御部３１は、規格に応じたデータ構成に基づいて、医療データを解析し、医療データの結果種類、モダリティ種別等を判別する。
【００７５】
制御部３１は、解析により判別されたデータ種別（解析結果）、ＤＩＣＯＭ付帯情報、受信日時等に基づいて、キー情報を生成する（ステップＳ８）。そして、制御部３１は、ＤＩＣＯＭ準拠画像データにキー情報を付与して（関連付けて）、このＤＩＣＯＭ準拠画像データを統合管理対象医療データとして記憶管理（保存）する（ステップＳ９）。
【００７６】
次に、統合管理サーバ３０がＨＬ７準拠検査データを受信する場合の、医療システム１００における各装置の具体的な動作について、図７を用いて説明する。
【００７７】
図７に示すように、検査装置６０は、検体を分析し、検査項目毎に結果を取得し、検査実データ（検査データ）を生成する（ステップＳ１０１）。そして、検査装置６０は、生成した検査実データを検査管理サーバ７０に送信する（ステップＳ１０２）。
【００７８】
検査管理サーバ７０は、操作部から患者属性情報等の入力を受け付け（ステップＳ１０３）、この患者属性情報を含むＨＬ７付帯情報を生成する。検査管理サーバ７０は、受信した検査実データにＨＬ７付帯情報を付帯させ、ＨＬ７準拠検査データを生成する（ステップＳ１０４）。
【００７９】
検査管理サーバ７０は、このＨＬ７準拠検査データをデータベースに登録し、記憶管理する（ステップＳ１０５）。
【００８０】
統合管理サーバ３０の制御部３１は、通信部３４を介して、検査管理サーバ７０にＨＬ７規格に則った検査データ取得要求を送信する。検査管理サーバ７０は、この検査データ取得要求を受信すると、取得要求に応じたＨＬ７準拠検査データを統合管理サーバ３０に送信する。そして、統合管理サーバ３０の制御部３１は、通信部３４を介して、このＨＬ７準拠検査データを受信（取得）する（ステップＳ１０６、Ｓ１０７）。
【００８１】
制御部３１は、取得したＨＬ７準拠検査データを解析する（ステップＳ１０８）。
【００８２】
制御部３１は、解析により判別されたデータ種別（解析結果）、ＨＬ７付帯情報、受信日時等に基づいて、キー情報を生成する（ステップＳ１０９）。そして、制御部３１は、ＨＬ７準拠検査データにキー情報を付与して（関連付けて）、このＨＬ７準拠検査データを統合管理対象医療データとして記憶管理（保存）する（ステップＳ１１０）。
【００８３】
次に、統合管理サーバ３０がＨＬ７準拠病理診断データを受信する場合の、医療システム１００における各装置の具体的な動作について、図８を用いて説明する。
【００８４】
図８に示すように、顕微鏡８０は、細胞や組織等を撮影し、画像実データ（医用画像）を生成する（ステップＳ２０１）。そして、顕微鏡８０は、生成した画像実データを病理部門情報管理装置９０に送信する（ステップＳ２０２）。
【００８５】
病理部門情報管理装置９０は、顕微鏡８０から受信した画像実データに基づいて、組織や細胞等の医用画像をモニタに表示する。病理部門情報管理装置９０は、操作部からの入力や画像実データ等に基づいて、病理診断レポート実データを生成する（ステップＳ２０３）。
【００８６】
病理部門情報管理装置９０は、この病理診断レポート実データにＨＬ７付帯情報を付帯させ、ＨＬ７準拠病理診断データを生成する（ステップＳ２０４）。
【００８７】
病理部門情報管理装置９０は、このＨＬ７準拠病理診断データをデータベースに登録し、記憶管理する（ステップＳ２０５）。
【００８８】
統合管理サーバ３０の制御部３１は、通信部３４を介して、病理部門情報管理装置９０にＨＬ７規格に則った病理診断データ取得要求を送信する。病理部門情報管理装置９０は、この病理診断データ取得要求を受信すると、取得要求に応じたＨＬ７準拠病理診断データを統合管理サーバ３０に送信する。そして、統合管理サーバ３０の制御部３１は、通信部３４を介して、このＨＬ７準拠病理診断データを受信（取得）する（ステップＳ２０６、Ｓ２０７）。
【００８９】
制御部３１は、取得したＨＬ７準拠病理診断データを解析する（ステップＳ２０８）。
【００９０】
制御部３１は、解析により判別されたデータ種別（解析結果）、ＨＬ７付帯情報、受信日時等に基づいて、キー情報を生成する（ステップＳ２０９）。そして、制御部３１は、ＨＬ７準拠病理診断データにキー情報を付与して（関連付けて）、このＨＬ７準拠病理診断データを統合管理対象医療データとして記憶管理（保存）する（ステップＳ２１０）。
【００９１】
以上、第１の実施の形態によれば、統合管理サーバ３０は、画像管理サーバ５０からＤＩＣＯＭ準拠画像データを、検査管理サーバ７０からＨＬ７準拠検査データを、病理部門情報管理装置９０からＨＬ７準拠病理診断データを受信する。統合管理サーバ３０は、受信したこれらの医療データを解析して、これらの各データ形式に共通のキー情報を生成する。統合管理サーバ３０は、このキー情報を医療データに付与する。統合管理サーバ３０は、これらの医療データを記憶し、付与したキー情報に基づいてこれらの医療データを、統合管理対象医療データとして一元管理する。
【００９２】
そのため、複数種類のデータ形式の医療データを情報劣化させることなく統合管理することができる。
【００９３】
また、医師等のユーザは、各データ形式に共通のキー情報に基づいて、各データ形式の違いを考慮せずに医療データを検索することができる。
【００９４】
また、統合管理サーバ３０において医療データを一元管理し、クライアント端末２０においてこの医療データを参照できるため、ＨＩＳのようなシステムを必要とせず、診療所のような人手が少ない施設においても運用可能である。
【００９５】
[第２の実施の形態]
次に、本発明の第２の実施の形態について説明する。第２の実施の形態では、統合管理サーバ３０が画像管理サーバ５０の機能（画像管理サーバ機能部５５）を持つ構成となっている。ここでは主に、第１の実施の形態と異なる構成について説明する。
【００９６】
[医療システムのシステム構成]
図９に、医療システム５００のシステム構成を示す。
【００９７】
医療システム５００は、電子カルテサーバ１０と、イメージャ２５と、クライアント端末２０と、統合管理サーバ３０と、撮影装置４５と、ＤＩＣＯＭ変換装置４６と、ＤＩＣＯＭ準拠撮影装置４０と、検査部門システム３００と、病理部門システム４００と、から構成されている。上記の各装置及びシステムは、ＬＡＮ等の通信ネットワークＮを介してデータ通信可能に接続されている。
【００９８】
検査部門システム３００、病理部門システム４００については、第１の実施の形態と同様の構成のため、その説明を省略する。
【００９９】
ＤＩＣＯＭ準拠撮影装置４０は、患者の診断対象部位を被写体として撮影を行い、ＤＩＣＯＭ準拠画像データを生成する。ＤＩＣＯＭ準拠撮影装置４０は、生成したＤＩＣＯＭ準拠画像データを統合管理サーバ３０に送信する。
【０１００】
撮影装置４５は、患者の診断対象部位を被写体として撮影を行い、撮影した画像をデジタル変換して画像実データ（医用画像）を生成する。撮影装置４５は、生成した画像実データをＤＩＣＯＭ変換装置４６に送信する。
【０１０１】
ＤＩＣＯＭ変換装置４６は、撮影装置４５から受信した画像実データをＤＩＣＯＭ準拠画像データに変換する装置である。ＤＩＣＯＭ変換装置４６は、操作部からの入力等に基づいて、患者情報や検査情報を含むＤＩＣＯＭ付帯情報を生成する。ＤＩＣＯＭ変換装置４６は、撮影装置４５から受信した画像実データにこのＤＩＣＯＭ付帯情報を付帯させ、ＤＩＣＯＭ規格に則ったＤＩＣＯＭ準拠画像データを生成する。即ち、画像実データは、ＤＩＣＯＭ準拠画像データに変換される。ＤＩＣＯＭ変換装置４６は、生成したＤＩＣＯＭ準拠画像データを統合管理サーバ３０に送信する。
【０１０２】
統合管理サーバ３０は、ＤＩＣＯＭ準拠撮影装置４０やＤＩＣＯＭ変換装置４６において生成されたＤＩＣＯＭ準拠画像データを記憶し、管理する（記憶管理する）。統合管理サーバ３０は、外部機器からＤＩＣＯＭ規格に則った医用画像取得要求を受信した場合、この取得要求に応じたＤＩＣＯＭ準拠画像データをこの外部機器に送信（提供）する。即ち、統合管理サーバ３０は、第１の実施の形態における画像管理サーバ５０の機能（画像管理サーバ機能部５５）を持つ。
【０１０３】
統合管理サーバ３０は、検査部門システム３００、病理部門システム４００等の各部門から送信される様々なデータ形式（ＨＬ７規格等）の医療データを、ＤＩＣＯＭ形式の医療データ（ＤＩＣＯＭ準拠画像データ）と共に記憶し、一元管理する。
【０１０４】
統合管理サーバ３０は、検査部門システム３００の検査管理サーバ７０にＨＬ７規格に則った検査データ取得要求を送信し、取得要求に応じたＨＬ７準拠検査データを受信する。統合管理サーバ３０は、病理部門システム４００の病理部門情報管理装置９０にＨＬ７規格に則った病理診断データ取得要求を送信し、取得要求に応じたＨＬ７準拠病理診断データを受信する。
【０１０５】
統合管理サーバ３０は、画像管理サーバ機能部５５により記憶管理されているＤＩＣＯＭ準拠画像データを解析してキー情報を生成する。統合管理サーバ３０は、このキー情報をＤＩＣＯＭ準拠画像データに付与する。そして、統合管理サーバ３０は、付与したキー情報に基づいてこのＤＩＣＯＭ準拠画像データを、統合管理対象医療データとして管理する。
【０１０６】
統合管理サーバ３０は、各部門から取得した医療データ（ＨＬ７準拠検査データ、ＨＬ７準拠病理診断データ）を解析してキー情報を生成する。統合管理サーバ３０は、このキー情報を医療データに付与する。そして、統合管理サーバ３０は、付与したキー情報に基づいてこの医療データを、統合管理対象医療データとして管理する。即ち、統合管理サーバ３０は、ＤＩＣＯＭ準拠画像データ、ＨＬ７準拠検査データ、ＨＬ７準拠病理診断等の医療データを、統合管理対象医療データとして一元管理する。
【０１０７】
統合管理サーバ３０は、クライアント端末２０から医療データ取得要求を受信した場合、この取得要求に応じた統合管理対象医療データをクライアント端末２０に送信（提供）する。
【０１０８】
統合管理サーバ３０は、ＩＨＥ（Integrating Healthcare Enterprise）およびＩＨＥ−Ｊ（Integrating Healthcare Enterprise - Japan）のＰＤＩ（Portable Data for Imaging）によって定められたデータ構造に則って、画像管理サーバ機能部５５により記憶管理されているＤＩＣＯＭ準拠画像データを可搬型記憶媒体であるメディアＭに書き込む。メディアＭとして、ＤＶＤ−Ｒ、ＣＤ−Ｒ等が適用可能である。
【０１０９】
統合管理サーバ３０は、電子カルテサーバ１０からの取得要求に応じて、画像管理サーバ機能部５５により記憶管理されているＤＩＣＯＭ準拠画像データの画像実データを電子カルテサーバ１０に送信する。
【０１１０】
統合管理サーバ３０は、画像管理サーバ機能部５５により記憶管理されているＤＩＣＯＭ準拠画像データとイメージャ出力要求信号とをイメージャ２５に送信する。
【０１１１】
イメージャ２５は、ＤＩＣＯＭ準拠画像データに基づいて、医用画像をフィルムにプリント出力（イメージャ出力）する装置である。イメージャ２５は、統合管理サーバ３０からＤＩＣＯＭ準拠画像データとイメージャ出力要求信号とを受信すると、受信したＤＩＣＯＭ準拠画像データに基づいて、医用画像をイメージャ出力する。
【０１１２】
図１０に、医療データ（ＤＩＣＯＭ準拠画像データ、ＨＬ７準拠検査データ、ＨＬ７準拠病理診断データ等）のデータフローを示す。検査装置６０において生成された検査実データは、検査管理サーバ７０に送信される。そして、この検査実データは、ＨＬ７準拠検査データとして統合管理サーバ３０に送信される。また、ＤＩＣＯＭ準拠撮影装置４０において生成されたＤＩＣＯＭ準拠画像データは、統合管理サーバ３０に送信される。また、撮影装置４５において生成された画像実データは、ＤＩＣＯＭ変換装置４６に送信される。ＤＩＣＯＭ変換装置４６において、この画像実データはＤＩＣＯＭ準拠画像データに変換される。この変換されたＤＩＣＯＭ準拠画像データは、統合管理サーバ３０に送信される。また、顕微鏡８０において生成された画像実データは、病理部門情報管理装置９０に送信される。病理部門情報管理装置９０において、この画像実データに対する病理診断レポート実データが生成され、ＨＬ７準拠病理診断データとして統合管理サーバ３０に送信される。
【０１１３】
統合管理サーバ３０において、ＤＩＣＯＭ準拠撮影装置４０やＤＩＣＯＭ変換装置４６から送信されたＤＩＣＯＭ準拠画像データは、画像管理サーバ機能部５５により記憶管理される。統合管理サーバ３０において、検査管理サーバ７０から送信されたＨＬ７準拠検査データ、病理部門情報管理装置９０から送信されたＨＬ７準拠病理検査データ、画像管理サーバ機能部５５により記憶管理されているＤＩＣＯＭ準拠画像データは、統合管理対象医療データとして記憶管理される。
【０１１４】
この統合管理対象医療データは、クライアント端末２０からの取得要求に応じて、統合管理サーバ３０からクライアント端末２０に送信される。また、画像管理サーバ機能部５５により管理されているＤＩＣＯＭ準拠画像データに含まれる画像実データは、電子カルテサーバ１０からの取得要求に応じて電子カルテサーバ１０に送信される。また、画像管理サーバ機能部５５により管理されているＤＩＣＯＭ準拠画像データは、イメージャ２５に送信される。また、画像管理サーバ機能部５５により管理されているＤＩＣＯＭ準拠画像データは、ＰＤＩによって定められたデータ構造に則ってメディアＭに出力される。
【０１１５】
[統合管理サーバの機能的構成]
図１１に、統合管理サーバ３０の機能的構成を示す。
【０１１６】
図１１に示すように、統合管理サーバ３０は、制御部３１、操作部３２、表示部３３、通信部３４、記憶部３５、メディアドライブ３７を備えて構成され、各部はバス３６により接続されている。
【０１１７】
制御部３１は、ＣＰＵ、ＲＡＭ等から構成され、統合管理サーバ３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【０１１８】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【０１１９】
表示部３３は、ＬＣＤにより構成され、制御部３１から入力される表示データに基づいて各種画面を表示する。
【０１２０】
通信部３４は、ＬＡＮアダプタ、ルータ、ＴＡ等を備え、通信ネットワークＮを介して接続されたクライアント端末２０、電子カルテサーバ１０、イメージャ２５、検査管理サーバ７０、病理部門情報管理装置９０、ＤＩＣＯＭ準拠撮影装置４０、ＤＩＣＯＭ変換装置４６等の外部機器との間でデータの送受信を行う。
【０１２１】
メディアドライブ３７は、制御部３１からの制御信号に基づき、メディアＭに各種データを書き込む。また、メディアドライブ３７は，制御部３１からの制御信号に基づき、メディアＭに記憶されているデータを読み出す。
【０１２２】
記憶部３５は、ハードディスク等から構成され、制御プログラム、当該プログラムの実行に必要なパラメータやファイル等を記憶している。記憶部３５は、統合管理プログラム３５１を記憶する。記憶部３５は、共通キー情報ＤＢ３５２を記憶する。記憶部３５は、ＤＩＣＯＭ画像管理プログラム３５３を記憶する。また、記憶部３５は、一又は複数のＤＩＣＯＭ準拠画像データを記憶する。記憶部３５は、一又は複数のＨＬ７準拠検査データを記憶する。記憶部３５は、一または複数のＨＬ７準拠病理診断データを記憶する。
【０１２３】
制御部３１は、記憶部３５に記憶されているＤＩＣＯＭ画像管理プログラム３５３と協働して、次のように機能する。即ち、制御部３１は、通信部３４を介して外部機器からＤＩＣＯＭ準拠画像データを受信（取得）すると、このＤＩＣＯＭ準拠画像データを記憶部３５に記憶させて管理する。制御部３１は、外部機器からＤＩＣＯＭ規格に則った医用画像取得要求を受信すると、この外部機器に取得要求に応じたＤＩＣＯＭ準拠画像データを送信（提供）する。つまり、制御部３１は、画像管理サーバ機能部５５として機能する。また、制御部３１は、操作部３２からの操作信号に基づいて、ＤＩＣＯＭ準拠画像データを、メディアドライブ３７を介してメディアＭに書き込む。また、制御部３１は、操作部３２からの操作信号に基づいて、ＤＩＣＯＭ準拠画像データを通信部３４を介してイメージャ２５に送信する。また、制御部３１は、電子カルテサーバ１０からの取得要求に応じてＤＩＣＯＭ準拠画像データの画像実データを電子カルテサーバ１０に通信部３４を介して送信する。
【０１２４】
制御部３１は、記憶部３５に記憶されている統合管理プログラム３５１と協働して、次のように機能する。即ち、制御部３１は、通信部３４を介して外部機器から医療データ（ＨＬ７準拠検査データ、ＨＬ７準拠診断データ等）を取得すると、この医療データを解析してキー情報を生成する。制御部３１は、このキー情報を医療データと関連付けて、記憶部３５に記憶させる。また、制御部３１は、ＤＩＣＯＭ画像管理プログラム３５３と協働して管理されているＤＩＣＯＭ準拠画像データを解析してキー情報を生成する。制御部３１は、このキー情報をＤＩＣＯＭ準拠画像データと関連付ける。制御部３１は、キー情報に基づいて、これらの医療データ（ＨＬ７準拠検査データ、ＨＬ７準拠診断データ、ＤＩＣＯＭ準拠画像データ等）を統合管理対象医療データとして管理する。制御部３１によって生成されたキー情報は、共通キー情報ＤＢ３５２として記憶部３５に記憶される。
【０１２５】
制御部３１は、通信部３４を介して、クライアント端末２０から医療データ取得要求を受信すると、医療データ取得要求に含まれるキー情報に関連付けられた医療データ（統合管理対象医療データ）を記憶部３５から読み出す。制御部３１は、読み出した医療データをクライアント端末２０に通信部３４を介して送信する。
【０１２６】
以上、第２の実施の形態によれば、統合管理サーバ３０が画像管理サーバ５０の機能（画像管理サーバ機能部５５）を持つ。そのため、統合管理サーバ３０は、医療データを統合管理対象医療データとして一元管理すると共に、ＤＩＣＯＭ準拠画像データを統合管理対象医療データとは別に管理することができる。
【０１２７】
尚、第１、第２の実施の形態における記述は、本発明に係る統合管理サーバの一例であり、これに限定されるものではない。システム及び各装置の細部構成及び細部動作に関しても適宜変更可能である。
【０１２８】
例えば、第２の実施の形態において、統合管理サーバ３０は、画像管理サーバ５０の機能を持つ構成したが、画像管理サーバ５０の代わりに、検査管理サーバ７０や病理部門情報管理装置９０の機能を持つ構成としてもよい。また、統合管理サーバ３０は、画像管理サーバ５０の機能に加えて、検査管理サーバ７０及び／又は病理部門情報管理装置９０の機能を持つ構成としてもよい。
【０１２９】
また、本実施の形態では、プログラムを格納したコンピュータ読み取り可能な媒体として可搬型記憶媒体やハードディスクを使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１３０】
【図１】本発明の第１の実施の形態における医療システムのシステム構成図である。
【図２】本発明の第１の実施の形態における医療データのデータフローを示す図である。
【図３】本発明の第１の実施の形態における統合管理サーバのブロック図である。
【図４】共通キー情報ＤＢのデータ構成図である。
【図５】記憶部に記憶されている医療データのイメージ図である。
【図６】医療システムにおいて実行される処理を示すラダーチャートである。
【図７】医療システムにおいて実行される処理を示すラダーチャートである。
【図８】医療システムにおいて実行される処理を示すラダーチャートである。
【図９】本発明の第２の実施の形態における医療システムのシステム構成図である。
【図１０】本発明の第２の実施の形態における医療データのデータフローを示す図である。
【図１１】本発明の第２の実施の形態における統合管理サーバのブロック図である。
【符号の説明】
【０１３１】
１０      電子カルテサーバ
２０      クライアント端末
２５      イメージャ
３０      統合管理サーバ
３１      制御部
３２      操作部
３３      表示部
３４      通信部
３５      記憶部
３６      バス
４０      ＤＩＣＯＭ準拠撮影装置
４５      撮影装置
４６      ＤＩＣＯＭ変換装置
５０      画像管理サーバ
５５      画像管理サーバ機能部
６０      検査装置
７０      検査管理サーバ
８０      顕微鏡
９０      病理部門情報管理装置
１００    医療システム
２００    放射線部門システム
３００    検査部門システム
３５１    統合管理プログラム
３５２    共通キー情報ＤＢ
４００    病理部門システム
５００    医療システム
Ｎ        通信ネットワーク
【図１】
2010128782.tif 000003
【図２】
2010128782.tif 000004
【図３】
2010128782.tif 000005
【図４】
2010128782.tif 000006
【図５】
2010128782.tif 000007
【図６】
2010128782.tif 000008
【図７】
2010128782.tif 000009
【図８】
2010128782.tif 000010
【図９】
2010128782.tif 000011
【図１０】
2010128782.tif 000012
【図１１】
2010128782.tif 000013